(57)【要約】【課題】洗剤タンクに洗剤が補充された後における便器洗浄実行時に洗剤の供給が可能でありながらも、洗剤供給路への洗剤の充填を効果的に実行し得る便器装置を提供する。【解決手段】便器装置１は、ボウル部１０に供給される洗浄水に洗剤を混入させる洗剤供給部２０と、前記洗剤供給部の洗剤タンク２１内の洗剤レベルを検出するレベル検出部３１と、前記洗剤タンクに洗剤が補充されて前記レベル検出部が洗剤の増加を検出すれば、前記洗剤供給部を制御し、前記洗剤タンクに接続された洗剤供給路２５に洗剤をプレ供給させる制御部３０と、を備えている。【選択図】図１
2018053574.tif 000002
【特許請求の範囲】
【請求項１】
ボウル部に供給される洗浄水に洗剤を混入させる洗剤供給部と、
前記洗剤供給部の洗剤タンク内の洗剤レベルを検出するレベル検出部と、
前記洗剤タンクに洗剤が補充されて前記レベル検出部が洗剤の増加を検出すれば、前記洗剤供給部を制御し、前記洗剤タンクに接続された洗剤供給路に洗剤をプレ供給させる制御部と、
を備えていることを特徴とする便器装置。
【請求項２】
請求項１において、
前記制御部は、前記洗剤タンク内の洗剤レベルが低下して前記レベル検出部が所定の補充レベルを検出すれば、報知部に報知させることを特徴とする便器装置。
【発明の詳細な説明】
【技術分野】
【０００１】
本発明は、便器装置に関する。
【背景技術】
【０００２】
従来より、便器のボウル部に洗剤を混入させた洗浄水を供給する構成とされた便器装置が知られている。このような便器装置では、洗剤を貯留する洗剤タンクに洗剤がなくなれば、洗剤を混入させた洗浄水が供給されなくなるため、洗剤を補充する必要がある。また、洗剤を補充した後は、洗剤を供給する供給路内にも洗剤がなくなっている場合があり、補充直後の便器洗浄時に洗剤が混入されなかったり、洗剤混入量が少なくなったりすることが考えられた。
例えば、下記特許文献１には、ボウル部に供給される洗浄水に液体薬剤を供給する薬剤供給手段の薬剤タンクが取り外され、再び取り付けられたときに、この薬剤タンクを検知するタンク検知センサーを設けた水洗便器が開示されている。また、この水洗便器は、タンク検知センサーの検知信号を受信すれば、液体薬剤を供給する循環ポンプを駆動して循環経路内に液体薬剤を循環させて循環経路内に液体薬剤を満たした状態とする制御部を設けた構成とされている。
【先行技術文献】
【特許文献】
【０００３】
【特許文献１】特開２００８−２９１６４９号公報
【発明の概要】
【発明が解決しようとする課題】
【０００４】
しかしながら、上記特許文献１に記載された水洗便器では、取り外された薬剤タンクに薬剤が補充されることなく薬剤タンクが取り付けられた際にもタンク検知センサーが検知信号を送信し、循環ポンプの駆動がなされることが考えられ、更なる改善が望まれる。
【０００５】
本発明は、上記実情に鑑みてなされたものであり、洗剤タンクに洗剤が補充された後における便器洗浄実行時に洗剤の供給が可能でありながらも、洗剤供給路への洗剤の充填を効果的に実行し得る便器装置を提供することを目的としている。
【課題を解決するための手段】
【０００６】
上記目的を達成するために、本発明に係る便器装置は、ボウル部に供給される洗浄水に洗剤を混入させる洗剤供給部と、前記洗剤供給部の洗剤タンク内の洗剤レベルを検出するレベル検出部と、前記洗剤タンクに洗剤が補充されて前記レベル検出部が洗剤の増加を検出すれば、前記洗剤供給部を制御し、前記洗剤タンクに接続された洗剤供給路に洗剤をプレ供給させる制御部と、を備えていることを特徴とする。
【発明の効果】
【０００７】
本発明に係る便器装置は、上述のような構成としたことで、洗剤タンクに洗剤が補充された後における便器洗浄実行時に洗剤の供給が可能でありながらも、洗剤供給路への洗剤の充填を効果的に実行することができる。
【図面の簡単な説明】
【０００８】
【図１】本発明の一実施形態に係る便器装置の一例を模式的に示し、一部を省略した一部破断概略構成図である。
【図２】（ａ）は、同便器装置の一部破断概略斜視図、（ｂ）は、同便器装置の概略斜視図である。
【図３】同便器装置において実行される基本動作の一例を模式的に示す概略フローチャートである。
【発明を実施するための形態】
【０００９】
以下に本発明の実施の形態について、図面に基づいて説明する。
図１〜図３は、本実施形態に係る便器装置を模式的に示す図である。
なお、以下の実施形態では、設置された便器装置に対して立位使用状態で対面した状態を基準として、手前側を前方、その逆側を後方とし、また、その状態を基準として上下方向及び左右方向を説明する。
【００１０】
本実施形態に係る便器装置１は、図１及び図２に示すように、床等の設置面に設置される着座式のいわゆる洋式の便器装置１とされている。この便器装置１は、上方に向けて開口するすり鉢状とされたボウル部（便鉢）１０に供給される洗浄水に洗剤（薬剤）を混入させる洗剤供給部２０を備えている。また、便器装置１には、便座や便蓋、これら便座及び便蓋を回転自在に支持する本体機構部１１、給排水管に接続される給排水機構等が設けられている。
また、この便器装置１に、便座や便蓋を開閉する開閉装置や、脱臭装置、便座を温める加熱装置、局部洗浄装置等の各種機能装置や機構部材を設けた構成としてもよい。また、便器装置１に、人体検知センサーや着座センサー等の各種センサーを設けた構成としてもよく、上記した各種機能装置を操作する操作部としてのリモコン装置や、リモコン装置の各種信号の送受信を可能とする送受信装置等を設けた構成としてもよい。
【００１１】
また、便器装置１の排水機構としては、ボウル部１０の底部に設けられた排水口に接続された筒状トラップを駆動機構によって回動させて排水及び封水する構成とされたいわゆるターントラップ式のものとしてもよい。また、排水機構としては、サイホン式やサイホンゼット式、サイホンボルテックス式、ネオボルテックス式、洗い落とし式等の他の排水機構を採用するようにしてもよい。
また、この便器装置１の給水機構は、給水元となる給水管（水道管）に接続される給水路１５，１８を備えている。本実施形態では、この給水機構を、水道直圧式とし、便器装置１を、水洗タンク（ロータンク）を備えていない、いわゆるタンクレスタイプのものとしている。なお、このような態様に代えて、水洗タンクを備えた構成としてもよい。
【００１２】
また、給水路１５，１８には、ボウル部１０への給水を供給または遮断する給水弁１６が設けられている。また、給水路１５，１８の途中部位には、洗剤供給部２０の洗剤供給路２５が接続され、洗浄水に洗剤を混入させる混合部１７が設けられている。この混合部１７の上流側となる上流側給水路１５に、給水弁１６が設けられている。また、この混合部１７の下流側となる下流側給水路１８の末端には、洗浄水をボウル部１０の上端に周方向に延びるように設けられたリム部に向けて供給する給水口１９が設けられている。
この給水機構による洗浄水の供給動作（洗浄モード）の実行は、便器装置１の適所に設けられた洗浄操作部の操作によってなされるものでもよい。このような洗浄操作部としては、リモコン装置に設けられた操作ボタンやレバー等に限られず、人体検知センサーや着座センサー等の各種センサーを洗浄操作部として把握、つまり、検知を操作と把握するような態様としてもよい。
【００１３】
洗剤供給部２０は、洗剤を貯留する洗剤タンク２１を備えている。便器装置１には、図１及び図２（ａ）に示すように、この洗剤タンク２１を収納するタンク収納部１４が設けられている。本実施形態では、このタンク収納部１４を、洗剤タンク２１を上下方向に着脱可能に収納する構成としている。また、このタンク収納部１４を、ボウル部１０の後方側に設けられた本体機構部１１に設けている。また、本実施形態では、本体機構部１１に、当該本体機構部１１に対して開閉可能とされ、タンク収納部１４等を覆う上面側カバー１２を設けている。この上面側カバー１２は、図２（ｂ）に示すように、当該上面側カバー１２がその周囲の部位と略同一平面状となるように閉状態とされる構成とされている。本体機構部１１には、この上面側カバー１２を受け入れる凹部が設けられており、タンク収納部１４は、この凹部の底部において上方に向けて開口するように設けられている。また、図例では、この上面側カバー１２によって覆われる本体機構部１１の凹部の底部に、操作パネルや予備電源などを設けた例を示している。
【００１４】
また、この上面側カバー１２の後端部を、本体機構部１１の後端部に左右方向に沿う軸廻りに回動自在に連結した例を示している。また、この上面側カバー１２の回動側端部とは異なる側の端部（前端部）の裏面に、凹部の底部側に設けられた保持部１３に対して着脱自在に保持される被保持部１２ａを設けた例を示している。このような保持部１３及び被保持部１２ａとしては、一方にプッシュラッチ部を設け、他方にラッチ受を設けた構成としてもよく、その他、種々の構成とされたものとしてもよい。なお、本実施形態では、上面側カバー１２を、本体機構部１１に対して回動自在に連結した構成とした例を示しているが、本体機構部１１に対して蓋状に着脱自在とされたもの等としてもよい。
【００１５】
タンク収納部１４は、上方に向けて開口し、洗剤タンク２１を収納可能な収納凹所とされている。このタンク収納部１４は、洗剤タンク２１の概ね全体が収納可能な深さ寸法とされている。図例では、タンク収納部１４を、平面視して本体機構部１１の左右方向一方側部位に設けた例を示している。
また、このタンク収納部１４には、洗剤タンク２１の上端部に設けられた接続部２４に接続される接続口が設けられている。このタンク収納部１４の接続口は、洗剤供給路２５に連通されている。
【００１６】
洗剤タンク２１は、図１に示すように、洗剤貯留空間を区画する上下の天壁部及び底壁部並びに周側壁部を備えた有底筒状の容器とされている。また、洗剤タンク２１の天壁部に、上方に向けて突出するように取手を設けた構成としている。また、この洗剤タンク２１の天壁部に、上方に向けて突出するように投入筒部を設け、この投入筒部の上端において開口させるように洗剤の投入口２１ａを設けた構成としている。また、この投入口２１ａを開閉するキャップ状の蓋部２２を設けた構成としている。この蓋部２２を開放させることで、洗剤タンク２１内に洗剤の投入（補充）が可能とされている。
また、洗剤タンク２１に、洗剤タンク２１内において上下に延びるように、かつ洗剤出口２３ａを下端に設けた洗剤導出管２３を設けた構成としている。
【００１７】
また、この洗剤導出管２３の天壁部を貫通した上端部には、タンク収納部１４に設けられた接続口に接続される接続部２４が設けられている。この接続部２４とタンク収納部１４の接続口とは、洗剤タンク２１のタンク収納部１４への着脱に伴い互いに接離される構成とされたものとしてもよい。つまり、洗剤タンク２１を下方側に移動させ、タンク収納部１４へ収納させれば、タンク収納部１４の接続口に接続部２４が接続される一方、洗剤タンク２１を上方側に移動させ、タンク収納部１４から脱離させれば、タンク収納部１４の接続口と接続部２４との接続が解除される構成とされたものとしてもよい。このような構成とすれば、洗剤タンク２１を着脱させる際における作業性を向上させることができる。
【００１８】
なお、洗剤タンク２１に貯留される洗剤（液体洗剤）としては、界面活性剤を含む中性洗剤等でもよい。
また、洗剤タンク２１としては、図例のような構成とされたものに限られず、その他、種々の変形が可能である。また、洗剤タンク２１を、タンク収納部１４に対して上下方向に着脱可能とした態様に代えて、当該便器装置１の側部等にタンク収納部を設け、側方側や斜め上方側等に着脱可能とした態様等でもよい。さらには、洗剤タンク２１を着脱可能とした態様に代えて、便器装置１に対して固定的に設けられたものとしてもよい。この場合は、便器装置１に、洗剤タンク２１への洗剤の投入（補充）を可能とする適宜の開閉蓋等を設けた態様等としてもよい。
【００１９】
また、洗剤供給部２０の洗剤供給路２５には、洗剤タンク２１に貯留された洗剤を混合部１７に向けて送出する送出機構を構成するポンプ２６が設けられている。このようなポンプ２６としては、羽根車を有した回転型ポンプや、容積型ポンプ、ベーンポンプなどでもよい。また、ポンプ２６を、モーター等の駆動部によって回転される回転体（ローター）にチューブを押圧する加圧ローラー等の押圧部を設け、回転体を回転させて押圧部を移動させることで洗剤を送出（移送）する構成とされたチューブポンプとしてもよい。
また、このポンプ２６の下流側の洗剤供給路２５には、洗剤を供給または遮断する洗剤供給弁２７が設けられている。なお、この洗剤供給弁２７及び上記した給水弁１６としては、後記する制御部３０によって開閉制御される電磁弁等としてもよい。また、ポンプ２６の態様等によっては、洗剤供給弁２７を開閉弁とせずに、逆止弁としたり、さらには、このような弁を設けないようにしてもよい。
【００２０】
この洗剤供給路２５の下流端が接続される混合部１７は、ベンチュリー管状の絞り部を設けた構成とされたものでもよい。
また、本実施形態では、この混合部１７に、気体導入路２８を接続した構成としている。また、混合部１７を、この気体導入路２８を経て導入される気体を洗浄水に混入させて気泡化させる気泡発生部（気液混合部）としても機能する構成としている。また、この気体導入路２８を、混合部１７における洗剤供給路２５の接続部よりも上流側（給水元側）に接続した構成としている。また、気体導入路２８に、混合部１７とは異なる側となる大気側への逆流を防止する逆止弁２９を設けた構成としている。なお、このような逆止弁２９を設けた態様に代えて、後記する制御部３０によって開閉制御される電磁弁等の開閉弁を設けた態様等としてもよい。
【００２１】
洗剤供給部２０から洗剤を供給していない状態、つまり、ポンプ２６を停止（ＯＦＦ）、洗剤供給弁２７を閉とした状態で、給水弁１６を開とすれば、混合部１７のエジェクタ効果によって気体導入路２８を介して気体が導入され、洗浄水に混入される。このように導入された気体が絞り部を通過する際にせん断されて気泡となり、例えば、ミリオーダーの気泡が混入された気泡混合洗浄水が給水口１９からボウル部１０に向けて供給される。また、この気泡混合洗浄水（洗浄水）に洗剤を混入させる際には、給水弁１６を開とした状態で、ポンプ２６を起動（ＯＮ）し、洗剤供給弁２７を開とすれば、洗剤供給路２５を介して洗剤が混合部１７に供給される。このように導入された洗剤が上記のように導入される気体と混合されて絞り部を通過する際にさらに微細気泡化し、例えば、マイクロオーダーの微細気泡を含む洗剤混合洗浄水が給水口１９からボウル部１０に向けて供給される。
【００２２】
また、便器装置１は、図１に示すように、洗剤供給部２０の洗剤タンク２１内の洗剤レベルを検出するレベル検出部３１を備えている。
このレベル検出部３１は、洗剤タンク２１内の洗剤の増加を検出可能な構成とされている。このようなレベル検出部３１としては、洗剤タンク２１内の洗剤レベルを検出可能なレベルセンサとしてもよい。図例では、レベル検出部３１を、フロート式のレベルセンサとした例を示しているが、電極棒式や非接触式等の他のレベルセンサを採用するようにしてもよい。また、レベル検出部３１としては、このようなレベルセンサに限られず、洗剤タンク２１の重さを検出することで、洗剤タンク２１内の洗剤レベルを検出する重さセンサ等でもよい。また、レベル検出部３１としては、少なくとも補充レベルＬＶ１と満レベルとを検出可能な構成とされたものでもよく、多段レベルを検出可能な構成とされたものでもよい。
【００２３】
また、便器装置１は、洗剤タンク２１に洗剤が補充されてレベル検出部３１が洗剤の増加を検出すれば、洗剤供給部２０を制御し、洗剤タンク２１に接続された洗剤供給路２５に洗剤をプレ供給させる制御部３０を備えている。上記した給水弁１６やポンプ２６、洗剤供給弁２７、レベル検出部３１、洗浄操作部、ターントラップの駆動部等は、信号線等を介して制御部３０に接続されている。図例では、この制御部３０を、本体機構部１１に設けた例を示しているが、他の部位に設けるようにしてもよく、また、壁面等に設置される便器装置１が備えるリモコン装置に設けるようにしてもよい。
また、この制御部３０には、ＣＰＵ等の制御回路や、メモリ等によって構成され、各種動作プログラム等を記憶する記憶部等が設けられている。
この制御部３０によって各部の制御がなされて後記するような基本動作の実行がなされる。
【００２４】
また、本実施形態では、便器装置１に、洗剤タンク２１内の洗剤レベルが低下してレベル検出部３１が所定の補充レベルＬＶ１を検出すれば、制御部３０によって制御されて報知する報知部３２を設けた構成としている。つまり、洗剤タンク２１への洗剤の補充を促す報知部３２を設けた構成としている。このような報知部３２としては、光や音、メッセージ等で洗剤の補充を促す構成とされたものでもよい。また、この報知部３２の報知を停止させる操作部等を設けた構成としてもよく、例えば、洗剤タンク２１に洗剤が補充されてレベル検出部３１が洗剤の増加を検出すれば、制御部３０によって報知部３２の報知の停止がなされる構成とされたものでもよい。
【００２５】
次に、上記構成とされた便器装置１における基本動作の一例について、図３を参照して説明する。
図３に示すように、洗浄操作がなされれば（ステップ１０１）、洗浄モードを実行させる（ステップ１０２）。この洗浄モードにおいては、給水弁１６を開とし、洗浄水をボウル部１０に供給しながら、上記のように排水機構をターントラップ式とした場合には、筒状トラップを回動させてボウル部１０の溜水や汚物の排出及び封水がなされ、ボウル部１０の洗浄がなされる。
この際、例えば、洗浄初期となる排出時間に応じて予め設定された所定の第１時間が経過するまでは、洗剤を混入させずに上記した気泡混合洗浄水をボウル部１０に供給するようにしてもよい。つまり、洗浄初期には、ポンプ２６を停止（ＯＦＦ）状態、洗剤供給弁２７を閉とした状態で、給水弁１６を開放させて気体導入路２８を介して気体を導入しながら気泡混合洗浄水をボウル部１０に供給するようにしてもよい。
【００２６】
そして、第１時間が経過すれば、洗浄後期となる封水時間に応じて予め設定された所定の第２時間が経過するまで、上記した微細気泡を含む洗剤混合洗浄水をボウル部１０に供給するようにしてもよい。つまり、洗浄後期には、給水弁１６を開放させたままで、ポンプ２６を起動（ＯＮ）させ、洗剤供給弁２７を開とし、微細気泡を含む洗剤混合洗浄水をボウル部１０に供給するようにしてもよい。また、第２時間が経過すれば、ポンプ２６を停止（ＯＦＦ）させ、洗剤供給弁２７及び給水弁１６を閉とし、洗浄モードを終了させる。なお、洗浄モードとしては、上記のような態様に限られず、その他、種々の変形が可能である。
【００２７】
上記のように洗浄モードの実行がなされれば、洗剤タンク２１の洗剤レベルが低下する。この洗剤タンク２１の洗剤レベルが低下（洗剤が減少）し、レベル検出部３１が補充レベルＬＶ１を検出すれば（ステップ１０３）、報知部３２に報知させる（ステップ１０４）。そして、洗剤タンク２１に洗剤が補充されてレベル検出部３１が洗剤レベルの上昇（洗剤の増加）を検出すれば（ステップ１０５）、洗剤プレ供給モードを実行させる（ステップ１０６〜ステップ１０８）。つまり、ポンプ２６を起動（ＯＮ）させ、洗剤供給弁２７を開とし（ステップ１０６）、洗剤供給路２５に洗剤を供給し充填させる。そして、予め設定された所定のプレ供給時間が経過すれば（ステップ１０７）、ポンプ２６を停止（ＯＦＦ）させ、洗剤供給弁２７を閉とし（ステップ１０８）、洗剤プレ供給モードを終了させる。
【００２８】
なお、プレ供給時間は、洗剤供給路２５に洗剤の充填が可能なように適宜の時間としてもよい。また、上記のようにプレ供給時間が経過するまで洗剤プレ供給モードを実行する態様に代えて、例えば、ポンプ２６をチューブポンプとした場合には、予め設定された所定回数となるまで回転体を回転させれば、洗剤プレ供給モードを終了させる態様等としてもよい。また、例えば、洗剤供給路２５の適所に洗剤の流量を検出する流量検出部を設け、この流量検出部が所定の流量を検出すれば、洗剤プレ供給モードを終了させる態様等としてもよい。上記した基本動作は、一例に過ぎず、その他、種々の変形動作の実行が可能である。
【００２９】
本実施形態に係る便器装置１は、上述のような構成としたことで、洗剤タンク２１に洗剤が補充された後における便器洗浄実行時に洗剤の供給が可能でありながらも、洗剤供給路２５への洗剤の充填を効果的に実行することができる。
つまり、ボウル部１０に供給される洗浄水に洗剤を混入させる洗剤供給部２０を設けた構成としている。従って、洗浄水に洗剤を混入させることで、ボウル部１０を効果的に洗浄することができ、また、微細な泡によってボウル部１０の溜水の喫水面を覆うことができ、ボウル部１０内面の喫水線部への水垢の固着や、尿等の跳ね返りを抑制することができる。
【００３０】
また、洗剤供給部２０の洗剤タンク２１内の洗剤レベルを検出するレベル検出部３１が洗剤の増加を検出すれば、洗剤供給部２０を制御し、洗剤タンク２１に接続された洗剤供給路２５に洗剤をプレ供給させる制御部３０を設けた構成としている。従って、洗剤タンク２１に洗剤が補充されて洗剤が増加すれば、洗剤供給路２５に洗剤が充填されることとなる。これにより、洗剤タンク２１に洗剤が補充された後に、ボウル部１０を洗浄する洗浄モードが実行された際に、適切な量の洗剤を比較的に確実に洗浄水に混入させることができる。また、例えば、洗剤を補充した後に、洗剤プレ供給モードを実行させるべく操作部の操作を要するものと比べて、操作忘れ等がなく、使い勝手を向上させることができる。また、例えば、洗剤タンク２１の有無を検出することで、洗剤が補充されたと判断するようなものと比べて、洗剤が補充されたことを確実に検出することができ、洗剤を供給する洗剤供給部２０のポンプ２６の空運転等を抑制することができる。また、例えば、洗剤タンク２１を取り外すことなく洗剤の補充を可能とした場合にも、洗剤の補充有無を比較的に確実に検出することができる。
【００３１】
また、本実施形態では、洗剤タンク２１内の洗剤レベルが低下してレベル検出部３１が所定の補充レベルＬＶ１を検出すれば、報知部３２に報知させる構成としている。従って、例えば、ボウル部１０を洗浄する洗浄モードを実行させた際に、洗剤（泡）の混入有無をユーザーが確認する必要があるものと比べて、洗剤タンク２１への洗剤の補充の必要性をユーザーに効果的に知らせることができる。これにより、洗剤が供給されることなく洗浄モードが実行されるようなことを効果的に抑制することができる。また、このように洗剤タンク２１への洗剤の補充を促して洗剤タンク２１内が空状態となる前に洗剤の補充がなされた場合にも、洗剤タンク２１を取り外した際等に、洗剤供給路２５内に洗剤が充填されていない空間が生じる場合もある。このような場合にも、上述のように、洗剤の増加を検出すれば、洗剤プレ供給モードの実行がなされるので、洗剤タンク２１に洗剤が補充された後に洗浄モードが実行された際に、適切な量の洗剤を比較的に確実に洗浄水に混入させることができる。
【００３２】
なお、上記のように、補充レベルＬＶ１となれば、報知部３２に報知させる態様に代えて、過去の使用状況を加味して洗剤補充時期を予め報知させるような態様等としてもよい。例えば、予め定められた所定の使用時間帯（区間）における洗剤使用量を蓄積して所定の使用時間帯における平均的な洗剤使用量を算出し、この平均使用量に基づいて洗剤補充レベルとなる日時を予測し、その日時を報知させたり、洗剤補充レベルとなる日時の所定時間前に報知させたりするような態様等としてもよい。さらには、このような洗剤の補充を促す報知部３２を設けていない構成としてもよい。この場合は、洗剤タンク２１の洗剤レベルの視認が可能な構成とされたもの等としてもよい。
また、上記した本実施形態に係る便器装置１の各部の具体的構成は、一例に過ぎず、その他、種々の変形が可能である。
【符号の説明】
【００３３】
１      便器装置
１０    ボウル部
２０    洗剤供給部
２１    洗剤タンク
２５    洗剤供給路
３０    制御部
３１    レベル検出部
３２    報知部
ＬＶ１  補充レベル
【図１】
2018053574.tif 000003
【図２】
2018053574.tif 000004
【図３】
2018053574.tif 000005